(57)【要約】【課題】シンプルな構造で消臭機能を発揮することができ、かつ、室内において犬や猫等のペットを飼うのに好適に用いることのできるペット用ケージを提供する。【解決手段】所定の領域を囲う柵を形成する格子状部材と、前記柵の一部に設けられた中空の柱状部材と、で構成されるペット用ケージであって、前記柱状部材が、前記柵の内側方向における側面において、複数の開口と、下方に向かって開放された吸入口と、を具備し、かつ、消臭部を着脱可能に内蔵していること、を特徴とする消臭機能付きペット用ケージ。【選択図】図１
2016106566.tif 000002
【特許請求の範囲】
【請求項１】
所定の領域を囲う柵を形成する格子状部材と、
前記柵の一部に設けられた中空の柱状部材と、で構成されるペット用ケージであって、
前記柱状部材が、前記柵の内側方向における側面において、複数の開口と、を具備し、かつ、消臭部を着脱可能に内蔵していること、
を特徴とする消臭機能付きペット用ケージ。
【請求項２】
前記柱状部材が、下方に向かって開放された吸入口を具備すること、
を特徴とする請求項１に記載の消臭機能付きペット用ケージ。
【請求項３】
前記柱状部材が、前記柵の内側方向における側面において、下側端部に凹部を有し、前記凹部の上方に前記吸入孔口を有すること、
を特徴とする請求項２に記載の消臭機能付きペット用ケージ。
【請求項４】
前記開口がスリット状であること、
を特徴とする請求項１〜３のうちのいずれかに記載の消臭機能付きペット用ケージ。
【請求項５】
前記消臭部が、内部に消臭材料を交換可能に収容していること、
を特徴とする請求項１〜４のうちのいずれかに記載の消臭機能付きペット用ケージ。
【請求項６】
前記柱状部材が蓋部を有すること、
を特徴とする請求項１〜５のうちのいずれかに記載の消臭機能付きペット用ケージ。
【発明の詳細な説明】
【技術分野】
【０００１】
本発明は、ペット用ケージに関する。より具体的には、本発明は、臭いが気になる犬や猫等のペットに好適に用いることのできる消臭機能付きのケージに関する。
【背景技術】
【０００２】
従来から、犬や猫等のペットを室内で飼う場合には、種々の格子状の囲いで構成されたペット用ケージが用いられているが（例えば特許文献１（登録実用新案第３０６０６９８号明細書））、ペットの臭いが飼い主や訪問者にとって気になるという問題があり、これを解決することについて様々な発明や考案がなされている。
【０００３】
例えば特許文献２（特開平１０−３２７６９６号公報）においては、「外壁部材でペットの臭いが外部に漏れないようにするとともに、内壁部材の格子状部材が解放されるように構成したペットケージを提供する。」ことを目的とする発明が提案されている。
【０００４】
具体的に特許文献２で提案されているのは、「格子状部材で構成された内壁部材と、該内壁部材の外側で、該内壁部材の一部を覆うように固定された透明部材と、前記内壁部材及び前記透明部材の外側に２つに分割されて摺動可能に装着され、かつ上部、下部及び中間部にそれぞれ複数の通気孔を形成した外壁部材と、前記内壁部材の下部に固定された台座部材と、前記内壁部材の上部に固定され、かつ前記内壁部材と外壁部材の間の空気を導びくように上部に活性炭を収納した濾過室を設けた屋根部材とからなることを特徴とするペットケージ。」である。
【０００５】
また、例えば特許文献３（特開２００６−１７４７６６号公報）においては、「熟成堆肥に尿を吸収し、同堆肥中に生息する微生物の働きによって臭気成分を分解して脱臭でき、長期にわたり入れ換えずに使用でき、入れ換え時の処理も容易であり、小型の雄犬を室内で飼う場合でもケージの周辺に尿が飛び散るおそれがない小動物用消臭ケージを提供する。」ことを目的とする発明が提案されている。
【０００６】
具体的に特許文献３で提案されているのは、「上端を開口した容器の上端に簀の子やパンチングプレートなどの通水性床板を配置し、同床板下方の前記容器内に熟成堆肥を収容し、前記容器または前記床板の周縁部に沿って柵状、網状、格子状などの囲い枠を取り付けたことを特徴とする小動物用消臭ケージ。」である。
【先行技術文献】
【特許文献】
【０００７】
【特許文献１】登録実用新案第３０６０６９８号明細書
【特許文献２】特開平１０−３２７６９６号公報
【特許文献３】特開２００６−１７４７６６号公報
【発明の概要】
【発明が解決しようとする課題】
【０００８】
しかしながら、特許文献２において提案されているペットケージは、内壁部材、透明部材、外壁部材、台座部材及び屋根部材を有する複雑な構造のものであり、また、小鳥等の小動物を対象としていることから、室内において犬や猫等に用いるのには必ずしも相応しくないという問題がある。また、特許文献３において提案されている小動物用消臭ケージは、熟成堆肥を用いることが前提となっており、その準備や処理に手間がかかり、取扱いが煩雑であるという問題がある。
【０００９】
そこで、本発明の目的は、シンプルな構造で消臭機能を発揮することができ、かつ、室内において犬や猫等のペットを飼うのに好適に用いることのできるペット用ケージを提供することにある。
【課題を解決するための手段】
【００１０】
上記のような目的を達成するため、
所定の領域を囲う柵を形成する格子状部材と、
前記柵の一部に設けられた中空の柱状部材と、で構成されるペット用ケージであって、
前記柱状部材が、前記柵の内側方向における側面において、複数の開口と、下方に向かって開放された吸入口と、を具備し、かつ、消臭部を着脱可能に内蔵していること、
を特徴とする消臭機能付きペット用ケージ、
を提供する。
【００１１】
このような構成を有する本発明の消臭機能付きペット用ケージは、シンプルな構造を有しており、これを用いて室内で犬や猫等のペットを飼う場合、柵の内側にいるペットが臭いを発しても、当該臭いが、側面における複数の開口及び下方に向かって開放している吸入口から効率よく柱状部材に侵入し、柱状部材に内蔵されている消臭部によって消される。
【００１２】
上記本発明の消臭機能付きペット用ケージにおいては、前記柱状部材が、下方に向かって開放された吸入口を具備することが好ましい。また、前記柵の内側方向における側面において、下側端部に凹部を有し、前記凹部の上方に前記吸入口を有すること、が好ましい。
【００１３】
このような構成を有する本発明の消臭機能付きペット用ケージは、柱状部材が、柵の内側方向における側面において、下側端部に凹部を有しており、当該凹部の上方に吸入口が設けられているため、犬や猫等のペットの臭いが吸入口から更に効率よく柱状部材に侵入し、柱状部材に内蔵されている消臭部によって確実に消される。
【００１４】
上記本発明の消臭機能付きペット用ケージにおいては、前記開口部がスリット状であること、が好ましい。スリットは上下方向でも左右方向でも斜め方向のいずれに延びていてもよく、これらの組合せであってもよい。
【００１５】
このような構成を有する本発明の消臭機能付きペット用ケージにおいては、柱状部材が、柵の内側方向における側面において、上下方向に延びるスリット複数個が整列して設けられているため、犬や猫等のペットの臭いが当該スリットから効率よく柱状部材に侵入し、柱状部材に内蔵されている消臭部によってより確実に消される。
【００１６】
上記本発明の消臭機能付きペット用ケージにおいては、前記消臭部が、内部に消臭材料を交換可能に収容していること、が好ましい。
【００１７】
このような構成を有する本発明の消臭機能付きペット用ケージでは、例えばゲル状又はビーズ状の消臭材料を消臭部に収容することができるとともに、消耗乃至は劣化した当該消臭材料を交換することができるため、好適に使用することができる。
【００１８】
上記本発明の消臭機能付きペット用ケージにおいては、前記柱状部材が蓋部を有すること、が好ましい。
【００１９】
このような構成を有する本発明の消臭機能付きペット用ケージでは、消耗乃至は劣化した当該消臭材料を確実に交換することができるため、更に好適に使用することができる。
【発明の効果】
【００２０】
本発明によれば、シンプルな構造で消臭機能を発揮することができ、かつ、室内において犬や猫等のペットを飼うのに好適に用いることのできるペット用ケージを提供することができる。
【図面の簡単な説明】
【００２１】
【図１】本発明の一実施形態に係る消臭機能付きペット用ケージ１の構造を示す概略部分斜視図である。
【図２】図１に示す消臭機能付きペット用ケージ１における柱状部材６の構造を示す概略分解斜視図である。
【発明を実施するための形態】
【００２２】
以下、本発明の代表的な実施形態に係る消臭機能付きペット用ケージについて、図面を参照しつつ詳細に説明するが、本発明の消臭機能付きペット用ケージが図示されるものに限られないことは言うまでもない。また、以下の説明では、同一又は相当部分には同一符号を付し、重複する説明は省略することもある。図面は、本発明を概念的に説明するためのものであるから、理解容易のために、必要に応じて寸法、比又は数を誇張又は簡略化して表している場合もある。
【００２３】
図１は、本発明の一実施形態に係る消臭機能付きペット用ケージ１の構造を示す概略部分斜視図であり、図２は、図１に示す消臭機能付きペット用ケージ１における柱状部材６の構造を示す概略分解斜視図である。なお、本発明における「ケージ」はいわゆる「サークル」を含む概念である。
【００２４】
実施形態の消臭機能付きペット用ケージ１は、室内で飼われる犬（特に小型犬や中型犬）や猫等のペットを、来客時や留守中に一時的に収容するためのものであり、例えば箱型のペットハウス等よりも開放的で快適な空間をペットに提供することができる。
【００２５】
この消臭機能付きペット用ケージ１は、底面に設けられた板状部材２と、板状部材２の上面において略垂直に立てられており所定の領域を囲う柵４を形成する格子状部材４ａと、板状部材２の上面において略垂直に立てられており柵４の一部に設けられた中空の柱状部材６と、で構成される。
【００２６】
なお、図１においては、簡便性の観点から、格子状部材４ａが２つとそれらの間に設けられた１つの柱状部材６とのみを表わしているが、４つの格子状部材４ａとそれらの間に設けられた４つの柱状部材６とで、略垂直方向において上方から下方にみた場合に、略矩形状の領域を画する柵４を構成している。
【００２７】
柱状部材６は、図１及び図２に示すように、柵４の内側方向における側面において、上下方向に延びて整列している複数のスリット状の開口６ａと、下方に向かって開放された略スリット状の吸入口６ｂと、を具備し、かつ、図２に示すように、消臭部１０を着脱可能に内蔵している。
【００２８】
柱状部材６は、より具体的には、図１に示すように、湾曲した板状の内側パーツ１２と、湾曲した板状の外側パーツ１４と、これらを組み合わせた後に、着脱可能に内蔵されている消臭部１０と、内部に上端を覆う蓋部１６と、で構成されている。そして、内側方向における側面において、下側端部に凹部６ｃを有し、凹部６ｃの上方に、水平方向において左右に延びる単一の略スリット状の吸入口６ｂが形成されている。
【００２９】
消臭部１０は、例えば有底で略半円筒状の容器で構成されている、いわばポケットであり、この内部に例えばゲル状又はビーズ状の消臭材料が交換可能に収容される。多数の穴の開いた袋に収納された消臭材料を用いてもよい。
【００３０】
本実施形態の消臭機能付きペット用ケージ１は、従来公知の材料を用いて作製することができる。板状部材２は、例えば樹脂又は金属で構成することができ、格子状部材４ａは、例えば樹脂で被覆された金属線で構成することができる。また、柱状部材６は、例えば樹脂で構成することができる。
【００３１】
上記のような構成を有する本実施形態の消臭機能付きペット用ケージ１は、柱状部材６が、柵４の内側方向における側面において、下側端部に凹部６ｃを有しており、凹部６ｃの上方に吸入口６ｂが設けられているため、矢印Ｘで示すように犬や猫等のペットの臭いが吸入口６ｂから効率よく柱状部材６に侵入し、柱状部材６に内蔵されている消臭部１０によって確実に消される。
【００３２】
なお、本発明の消臭機能付きペット用ケージ１は、特に、柵の内側方向における側面において、複数の開口と、下方に向かって開放された吸入口と、を具備し、かつ、消臭部を着脱可能に内蔵している柱状部材を具備することにより、ペットが発する臭いを効率よく柱状部材に侵入させて消臭部によって消することができれば、種々の設計変更が可能である。
【００３３】
例えば、格子状部材４ａ及び柱状部材６の数は４つに限定されず、垂直方向において上方から下方をみた場合にみえる柵の形状によって、これらの数を変更することができる。また、スリット状の開口６ａの配列方法は、開口６ａ及び略スリット状の吸入口６ｂの形状も図１及び図２に示す形状に限定されない。図１及び図２においては、水平方向において左右に延びる単一の略スリット状の吸入口６ｂが形成されており、効率よく臭いを吸入することができるため好ましいが、複数の吸入口を有していてもよい。
【符号の説明】
【００３４】
１・・・消臭機能付きペット用ケージ１、
２・・・板状部材、
４・・・柵、
４ａ・・・格子状部材、
６・・・柱状部材、
１０・・・消臭部、
１２・・・内側パーツ、
１４・・・外側パーツ、
１６・・・蓋部。
【図１】
2016106566.tif 000003
【図２】
2016106566.tif 000004